(57)【特許請求の範囲】
【請求項１】
下面がソール面とされるとともに、先方と後方とに夫々上方に向かう反り部が形成されて略板状に形成される滑走具本体を備える雪上滑走具であって、
前記滑走具本体の後方の反り部に、前記滑走具本体から下方に向かって突出するとともに前記ソール面における下部水平面より上方に先端部を配置する、突出部が配設され、
前記突出部は後方に向かって複数列に配列されるとともに、前記突出部の前記ソール面からの高さが後方に向かって順に大きく形成されていることを特徴とする雪上滑走具。
【請求項２】
前記各突出部の先端部が球状に形成されていることをと特徴とする請求項１記載の雪上滑走具。
【請求項３】
前記滑走具本体の後方部位には、雪面の雪を前記ソール面から前記滑走具本体の上方に向かって案内する案内流路が、前記突出部の前方に設けられていることを特徴とする請求項１又は２記載の雪上滑走具。
【発明の詳細な説明】
【０００１】
【発明の属する技術分野】
この発明は、爽快な滑走を簡単で楽しくできる雪上滑走具に関し、さらにそのテール部を支点として先端を雪面に対して傾斜状に持ち上げて行なう、いわゆる「ウィリー滑走」や、後方に向かって滑走する、いわゆる「フェイキー滑走」等を容易に行なうことのできる雪上滑走具に関する。
【０００２】
ここで雪上滑走具とは、通常のスキー板の他にショートサイズのスキー板（全長１０００ｍｍ以下のスキー板）・スノーボード・身体障害者用のモノスキー板・ソリ等が含まれる。
【０００３】
【従来の技術】
上記の雪上滑走具を使用するスポーツは、近年、ますます盛んに行なわれ、比較的容易なコースで家族で楽しんだり、また、難易なコースに挑んで技術を向上させたりしている。そして、経験豊かな熟練滑走者は、山の上方から下方に向かって滑走するだけでは物足りず、「ウィリー滑走」や、「フェイキー滑走」等いろいろな技巧を加えて新たな滑走を楽しむようになってきている。
【０００４】
【発明が解決しようとする課題】
しかし、「ウィリー滑走」や「フェイキー滑走」を行なう場合、従来の雪上滑走具では、滑走具自体に新たな細工を施すことがないことから、滑走者自体の腕と技術で滑走技術を上達することはあっても、新たな滑走を楽しむことには限界があり、また、初心者においてはこれらの滑走そのものが困難であった。特にショートサイズのスキー板やスノーボードにおいては、通常のスキー板と異なり、急斜面やこぶ状に形成された雪面では、熟練者でもブレーキをかけにくく「ウィリー滑走」や、「フェイキー滑走」がしにくい状態であった。例えば、「ウィリー滑走」においては、スキー板のトッブ部だけが反り返ったアップターン部を備えたシングルチップタイプ型式のものが一般的に使用されるが、従来の滑走具では、ウィリー状態にする際にテール部が滑りやすいことから、ブレーキを掛けにくく微妙な方向転換や回転がしにくかった。また、「フェイキー滑走」においては、スキー板のトップ部とテール部との双方に上方に反り返ったアップターン部を備えた「ツインチップ」型式のものが使用されるが、テール部を支点に持ち上げる際にスキー板が不安定となって、初心者では困難であり、熟練者でも容易に行なうことが難しかった。
【０００５】
この発明は、上述の課題を解決するものであり、初心者でも難度な技術を行なうことができるとともに、熟練者でも急斜面やこぶ状に形成された雪面において容易に「ウィリー滑走」や「フェイキー滑走」を楽しむことができ、さらに、滑走者自身及び第三者目でも目で見て楽しむことができて爽快な滑走を行なえるための雪上滑走具を提供することを目的とする。
【０００６】
【課題を解決するための手段】
この発明にかかわる雪上滑走具では、上記の課題を解決するために、以下のように構成するものである。すなわち、
下面がソール面とされるとともに、先方と後方とに夫々上方に向かう反り部が形成されて略板状に形成される滑走具本体を備える雪上滑走具であって、
前記滑走具本体の後方の反り部に、前記滑走具本体から下方に向かって突出するとともに前記ソール面における下部水平面より上方に先端部を配置する、突出部が配設され、
前記突出部は後方に向かって複数列に配列されるとともに、前記突出部の前記ソール面からの高さが後方に向かって順に大きく形成されていることを特徴とするものである。
【０００７】
また、前記各突出部の先端部が球状に形成されているものであればなお好ましい。
【０００８】
さらに好ましくは、前記滑走具本体の後方部位には、雪面の雪を前記ソール面から前記滑走具本体の上方に向かって案内する案内流路が、前記突出部の前方に設けられているものであればよい。
【０００９】
【発明の効果】
本発明にかかわる雪上滑走具は、滑走具本体の先方と後方に反り部が形成され、後方の反り部に下方に向かう突出部が配設されていることから、ウィリー滑走をする際に、突出部を雪面に食い込ませることができて、急斜面やこぶ状に形成された雪面であっても、ブレーキをかけやすくして減速させることができる。そのために突出部が支点となって方向転換をしやすくできる。また、フェイキー滑走では、突出部が滑走の先方に配置されることになるが、突出部のまわりに雪を逃がすことができることから、後方への滑走をしやすくすることができる。それによって、熟練者は勿論のこと初心者でも難度な技術を容易に行なうことができ、思い切った滑走を楽しむことができる。
【００１０】
しかも、突出部の先端部はソール面より上方に位置されていることから、ウィリー滑走をしない通常の滑走では、ブレーキがかかることなく滑走速度を減速されずに滑走することができて、雪上滑走を楽しむことができる。
【００１１】
また、請求項２の発明では、各突出部の先端部を球状に形成していることから、球状の突出部のまわりに雪をスムーズに逃がすことができて、直進滑走は勿論のこと斜行滑走や後方滑走でも安定した滑走を楽しむことができる。
【００１２】
さらに、請求項３の発明では、滑走具本体の後方部位に、雪をソール側から上方に向かって案内する案内流路を設けていることから、雪を案内流路から外部に逃がすことができ、滑走時における雪圧を逃がすこととなって滑走しやすくなる。しかも、案内流路から雪を舞いあげることができる。これによって滑走者自身及び第三者が目で楽しむことができるとともに、初心者でもプロが滑走するような爽快な滑りを味わうことができて、従来にない滑走感を持つことが可能となる。
【００１３】
【発明の実施の形態】
以下、本発明の一実施形態を図面に基づいて説明する。
【００１４】
実施形態の雪上滑走具では、図１〜５に示すように、雪上滑走具の一例を示すスキー板１について説明する。
【００１５】
このスキー板１は、図１に示すように、ショートサイズのものであり、雪上滑走具本体としての板本体１０と、ビンディング３と、延長筒部としての筒状部材６と、板本体１０の下面側に突出する突出部としての突起部材８を備えて構成されている。なお、スキー板１としては、通常、右脚用と、左脚用とが一対で用いられるが、両脚は互いに略鏡面な構成を備えるため、本実施形態では、右脚用のスキー板１の説明をすることとし、左脚用のスキー板の説明を省略する。
【００１６】
この板本体１０は、板本体１０の先方側に反り部１１ａを有して配置されるトップ部１１と、板本体１０の後方側に反り部１２ａを有して配置されるテール部１２とを備えるとともに、下面１３を雪面に接触させるソール面１３ａとし、上面１４の前後方向に沿った中間部にビンディング配設部１４ａを配置させている。そして、このビンディング配設部１４ａには、スキー靴を着脱自在に固定するためのビンディング３が装着されている。
【００１７】
また、滑走時の重心位置となるビンディング配設部１３ａより後方側とした板本体１０のテール部１２側には、反り部１２ａの直前に位置される貫通孔１５ａ（図４参照）が板本体１０を板圧方向の上下方向に貫くように形成され、テール部１２の反り部１２ａに位置される複数の小孔１６ａ（図４参照）が、板本体１０を板厚方向の上下方向に貫くように形成されている。
【００１８】
貫通孔１５ａの上半側には、案内筒１５（図４参照）が嵌入され、各小孔１６ａにはテール部１２の反り部１２ａの下方に突出する突出部としての突起部材８が装着されている。この案内筒１５は、上端部を板本体１０の上面１４より突出させて、貫通孔１５ａの下半側の内部空間と、案内筒１５の内部空間とによって、板本体１０のソール面１３ａから上面１４側に至る案内流路２０の本体流路３０を構成している。
【００１９】
案内流路２０は、滑走具本体としての板本体１０の本体流路３０と、後述する延長流路６５とから構成されている。
【００２０】
また、板本体１０の上面１４において、貫通孔１５ａの前方に位置する部位には、収納部１７が突設され、この収納部１７内には、ボール１７ｂと、ボール１７ｂを貫通孔１５ａ方向に付勢するばね１７ａとを備えたボールプランジャー方式の廻り止め手段が内蔵されている。ばね１７ａ及びボール１７ｂは、板本体１０の上面１４に固定されるカバー１７ｃに覆われている。なお、カバー１７ｃは、筒状部材６の上方への抜けを防止するように、筒状部材６の後述する鍔部６２の上面側を覆っている。
【００２１】
テール部１２の反り部１２ａに形成される複数の小孔１６ａは、本実施形態では、図３に示すように、板本体１０の長手方向に沿って貫通孔１５ａの後方に３列に配置され、貫通孔１５ａに近い１列目には４個の小孔１６ａが配置され、２列目には３個の小孔１６ａが配置され、３列目には２個の小孔１６ａが配置されている。各小孔１６ａに挿入される突起部材８は、図４〜５に示すように、反り部１２ａの下面側に配置される球状の先端頭部８ａと小孔１６ａ内に挿入される胴部８ｂとを有して形成され、図５（ａ）に示すように、胴部８ｂが反り部１２ａの板厚（板本体１０）を挟んで袋ナット９で締め込まれるか、また、図５（ｂ）に示すように、小孔１６ａに形成されたねじ部１６ｂにねじ込まれるか、あるいは各小孔１６ａに圧入されている。
【００２２】
さらに、３列に配置された小孔１６ａに挿入される各突起部材８のうち、貫通孔１５ａに近い１列目の小孔１６ａに挿入された突起部材８の先端頭部８ａは、球状部が小さく（つまり、テール部１２におけるソ−ル面１３ａからの先端頭部高さが小さく）、２列目・３列目に沿って順に大きく形成されている。しかも、１列目の小孔１６ａに挿入された突起部材８の先端頭部８ａは、ソール面１３ａの下部水平面より上方に配置されている。
【００２３】
これによって、突起部材８を支点にしてトップ部１１を持ち上げて滑走（ウィリー滑走）すると、テール部１２の反り部１２ａが、雪面に接触するとともに、突起部材８が雪面に食い込んでブレーキ作用をすることができ、微妙な方向転換あるいは回転を容易に行なうことができる。
【００２４】
なお、突起部材８は、図６（ａ）に示すように、テール部１２の反り部１２ａに直接一体的に形成する突起部８Ａとしてもよく、また図６（ｂ）に示すように、突起部８Ｂを有するシール部材８Ｃを、反り部１２ａのソール面１３ａに全面的に貼着するようにしてもよい。この場合、突起部８Ａ及び８Ｂは、上述の形態と同様に、３列配置させて貫通孔１５ａに近い列から４個・３個・２個に夫々配置させるとともに、小孔１６ａを形成しなくてもよい。
【００２５】
さらに、突起部材８は、スキー板１で「ウィリー滑走」を容易に行なうために、板本体１０を斜めに持ち上げる際、雪面に食い込むように突出するものであれば、ブレーキを掛けやすくできることから、例えば、テール部１２の反り部１２ａ下面側に、１個の球状物、半球状物、角状物等を突出してもよく、また、ブラシのように多数の線状材を配置したものでもよく、その形状や構成には限定するものではない。
【００２６】
また、スキー板１の別の形態としては、図示するものではないが、筒状部材６を設けないスキー板１のテール部１２に突起部材８を設けることができる。突起部材８の形態は上述した通りである。しかし、滑走時における雪圧を逃がすためには、筒状部材６を設けることが望ましい。
【００２７】
筒状部材６は、延長筒部の一例を示すものであり、図２〜図４に示すように、軸線を傾斜させた樹脂製（例えば、アクリル製）の円筒体を用いて構成される本体部６１と、本体部６１に連結固定され、本体部６１の下端側外周面から本体部６１の半径方向に全周にわたって突出する鍔部６２と、を備えて構成されている。鍔部６２は、案内筒１５の上端に摺動可能に外嵌されるとともに、収納部１７から延びるカバー１７ｃに上方を覆われ、板本体１０の板厚方向に沿った上下方向を回動中心として回動を許容して、鍔部６２の上方への抜けが防止されている。また、鍔部６２の外周面には、前述のボール１７ｂに係合可能なラチェット歯６３が略等間隔に設けられている。
【００２８】
この筒状部材６には、鍔部６２における任意の隣接する２つのラチェット歯６３・６３間の凹部６４に対して、ばね１７ａによって付勢されたボール１７ｂが嵌合するため、筒状部材６の不用意な回動が抑制されている。そして、図４に示すように、筒状部材６における本体部６１の内部空間で構成される略直線状の延長流路６５が、案内流路２０の本体流路３０と連通し、この本体流路３０を板本体１０の上方に延長させた状態となっている。
【００２９】
そして、実施形態では、本体部６１が、その軸線を傾斜させた状態とされているため、延長流路６５の経路は、板本体１０の板厚方向に対して傾斜している。さらに、筒状部材６は、板本体１０に対して、カバー１７ｃを利用し、板本体１０の板厚方向である上下方向の回動中心軸として、回動可能に保持されているため、筒状部材６に加える回動に伴って、延長流路６５の経路の傾斜方向を適宜、変更可能となっている。なお、この筒状部材６の回動に伴い、ボール１７ｂは、隣接する２つのラチェット歯６３・６３間の凹部６４との嵌合を解除した後に、新たな凹部６４に嵌合される。
【００３０】
次に、上記のように構成されたスキー板１の使用状態を、図７〜８に基づいて説明する。
【００３１】
まず、図７に示すように、本スキー板１においても、通常のスキー板と同様に、板本体１０のソール面１３ａを雪面Ｓに接触させて雪面Ｓを滑走することができる。この際、板本体１０のテール部１２に配置された複数の突起部材８は、テール部１２がソール面１３ａの水平部に対して上方に向かう反り部１２ａを有し、ソール面１３ａの水平部より上方の位置にあることから、雪面Ｓには接触しない。
【００３２】
そして、図８に示すように、この滑走中に、板本体１０のテール部１２に配置された複数の突起部材８を支点にして、板本体１０のトップ部１１を雪面Ｓに対して傾斜状に持ち上げると、すなわちウィリー滑走を行なうと、テール部１２の反り部１２ａが雪面Ｓに接触するとともに突起部材８が雪面Ｓに沈み込んで雪面の雪が削り込まれる。突起部材８によって削り込まれた雪は、板本体１０のソール面１３ａ側より案内流路２０に連続的に流れ込み、この流れ込んだ雪は、案内流路２０の本体流路３０と延長流路６５とを順に通過して、板本体１０の上方側連続的に噴射される。
【００３３】
また、ウィリー滑走の場合において、突起部材８が雪面Ｓに沈み込むことによって、スキーの滑走速度が瞬間的に減速される。これによって、滑走者は、スキー板１を微妙に方向転換したり、回転することがしやすくなる。
【００３４】
さらに、ウィリー滑走状態に入る際、３列に配置された突起部材８の先端頭部８ａが、後列側に配置するにしたがって大きく形成されていることから、トップ部１１の持ち上げ角度をそれほど大きく傾倒しなくても、突起部材８を雪面Ｓに沈み込ませることができる。
【００３５】
また、滑走者が、スキー板１を容易に回転することによって、バック方向に滑走するフェイキー滑走も容易に行なうことができる。フェイキー滑走は、図９に示すように、テール部１２が進行方向の前方に位置し、トップ部１１が後方に位置することから、テール部１２に配置された突起部材８が前方に配置されることになる。
【００３６】
フェイキー滑走する際に、スキー板１に踏まれていない雪面Ｓの雪は、最初に突起部材８に接触してから、順に、ソール面１３ａの水平面で踏まれることとなる。雪が突起部材８に接触することによって、滑走速度が、通常の滑走速度より減速されることとなるが、雪は球状に形成された各突起部材８の間をスムーズに通過できるので、突起部材８によってフェイキー滑走を妨げることはない。
【００３７】
なお、上記の態様においては、延長流路６５が右脚用のスキー板１の上方で、右方側に傾斜して開口しているため、案内流路２０を通過する雪は、右脚用のスキー板１の上方において、斜め右上方に噴射される。そして、この右脚用のスキー板と対をなす左側用のスキー板１において、この延長流路６５を、対称的に、このスキー板１の上方にて、左方側に傾斜して開口させているため、滑走者の左右両側で、斜め上方の外側に雪が噴出することになる。
【００３８】
なお、本実施形態においては、筒状部材が延長流路６５を板本体１０の板厚方向に対して傾斜状態に構成するとともに、この筒状部材６が、板本体１０の板厚方向に沿う回動中心軸として回動可能とされている。このため、筒状部材６を所望の方向に所定の回動量だけ、回転させると、延長流路６５の傾斜方向が、所望の方向に回動される。例えば、延長流路６５を板本体１０の上方において、板本体１０のテール部１２の後方に向かって傾斜させ、スキー板１の真後側へ雪を噴出させることができる。
【００３９】
上記のように、実施形態のスキー板１は、板本体１０のトップ部１１とテール部１２に夫々反り部１１ａ・１２ａが形成され、テール部１２の反り部１２ａに下方に向かう複数の突起部材８が配設されていることから、ウィリー滑走をする際に、突起部材８を雪面に食い込ませることができて、急斜面やこぶ状に形成された雪面であっても、ブレーキをかけやすくして減速させることができる。そのために複数の突起部材８が支点となって方向転換や回転をしやすくできる。また、フェイキー滑走では、複数の突起部材８が滑走の先方に配置されることになるが、複数の突起部材８間に雪を逃がすことができることから、後方への滑走をしやすくすることができる。それによって、熟練者は勿論のこと初心者でも難度な技術を容易に行なうことができて思い切った滑走を楽しむことができる。
【００４０】
しかも、突起部材８の先端頭部８ａは、ソール面１３ａより上方に位置されていることから、ウィリー滑走をしない通常の滑走では、ブレーキがかかることなく滑走速度を減速されずに滑走することができて、各滑走の状態に合わせて雪上滑走を楽しむことができる。
【００４１】
また、各突起部材８の先端頭部８ａは球状に形成されていることから、突起部材８の球状面に沿って雪をスムーズに逃がすことができて、直進滑走は勿論のこと斜行滑走や後方滑走でも安定した滑走を行なうことができる。
【００４２】
さらに、板本体１０の後方部位に、雪をソール面１３ａ側から上面１４に向かって案内する案内流路２０を設けていることから、雪を案内流路２０から外部に逃がすことができ、滑走時における雪圧を逃がすこととなって滑走しやすくなる。しかも、滑走時に案内流路２０から雪を舞いあげることによって、滑走者自身及び第三者が目で楽しむことができるとともに、初心者でもプロが滑走するような爽快な滑りを味わうことができて、従来にない滑走感を持つことが可能となる。
【図面の簡単な説明】
【図１】本発明の一実施形態のスキー板を示す斜視図である。
【図２】同側面図である。
【図３】同一部平面図である。
【図４】同一部側面断面図である。
【図５】図１における突起部材の一形態を示す一部断面図である。
【図６】図１における突起部材の別の形態を示す一部断面図である。
【図７】図１におけるスキー板の通常の使用状態を示す説明図である。
【図８】同ウィリー滑走の作用を示す説明図である。
【図９】同フェイキー滑走の作用を示す説明図である。
【符号の説明】
１…スキー板（雪上滑走具）
６…筒状部材
８…突起部材（突出部）
８ａ…先端頭部
１０…板本体（滑走具本体）
１１…トップ部（板本体の先方）
１１ａ…反り部
１２…テール部（板本体の後方）
１２ａ…反り部
１３…下面
１３ａ…ソール面
１４…上面
１５…案内筒
１５ａ…貫通孔
１６ａ…小孔
２０…案内通路
６５…延長流路
【図１】
0003919523.tif 000002
【図２】
0003919523.tif 000003
【図３】
0003919523.tif 000004
【図４】
0003919523.tif 000005
【図５】
0003919523.tif 000006
【図６】
0003919523.tif 000007
【図７】
0003919523.tif 000008
【図８】
0003919523.tif 000009
【図９】
0003919523.tif 000010